(57)【要約】【課題】ディスクの脱落を防止できるとともに、占有スペースを縮小できるディスク再生装置を提供する【解決手段】ディスク８をターンテーブルと挟持するディスク押え４０を筐体上面部５に形成した貫通孔５ａに遊嵌して鍔部４２ａ、４２ｂにより軸方向の移動量が規制される第１部材４２と、第１部材４２に設けた貫通孔４２ｃに遊嵌してディスク８に当接する第２部材４４と、第１、第２部材４２、４４間に縮設される圧縮バネ４３とから構成し、ディスク８を再生する再生位置と再生位置の軸上の再生待機位置に配されたトレイ２１上との間において、ターンテーブル３１とディスク押え４０によりディスク８を挟持した状態で移動するようにした。【選択図】　　　図２５
2004087004.tif 000002
【特許請求の範囲】
【請求項１】
ディスクを載置する載置面を有してディスクを着脱可能な着脱位置とディスクを再生する再生位置の略軸上に該ディスクを配置する再生待機位置との間を移動するトレイと、再生待機位置の前記トレイ上のディスクを保持して軸方向に移動するとともに再生位置に配したディスクを回転させるターンテーブルと、前記再生位置のディスクを前記ターンテーブルと挟持するディスク押えと、ディスクの記録情報を読み取る再生部とを備え、再生位置で回転するディスクを前記再生部により再生するディスク再生装置において、
前記ディスク押えは、筐体に形成した貫通孔に遊嵌して軸方向の移動量が規制される第１部材と、第１部材に設けた貫通孔に遊嵌してディスクに当接する第２部材とを有し、前記ターンテーブル及び前記ディスク押えにより挟持したディスクを再生待機位置の前記トレイ上と再生位置との間で移動させることを特徴とするディスク再生装置。
【請求項２】
前記ターンテーブルと前記ディスク押えとは磁力により吸着してディスクを挟持し、吸着が破壊された前記ディスク押えをディスク上から退避させる付勢バネを第１、第２部材の間に縮設したことを特徴とする請求項１に記載のディスク再生装置。
【請求項３】
第１部材のディスクと離れた側の端面よりもディスク側に前記付勢バネを配置したことを特徴とする請求項２に記載のディスク再生装置。
【請求項４】
ディスクが前記載置面と当接することにより前記ターンテーブルと前記ディスク押えとの吸着が破壊されることを特徴とする請求項２に記載のディスク再生装置。
【請求項５】
前記載置面を鉛直に配置した際にディスクの下方を係止する係止部を前記トレイに設けたことを特徴とする請求項１〜請求項４のいずれかに記載のディスク再生装置。
【請求項６】
前記ターンテーブルが軸方向に移動する際に径方向に移動してディスクが前記係止部から脱離することを特徴とする請求項５に記載のディスク再生装置。
【請求項７】
前記トレイを複数有し、前記各トレイ上のディスクを択一的に同一の再生位置に配置することを特徴とする請求項１〜請求項６のいずれかに記載のディスク再生装置。
【発明の詳細な説明】
【０００１】
【発明の属する技術分野】
本発明は、光ディスクや光磁気ディスク等の情報記録媒体としてのディスクを再生するディスク再生装置に関する。
【０００２】
【従来の技術】
情報記録媒体としての光ディスクや光磁気ディスク等のディスクを再生するディスク再生装置は、トレイにディスクを載置してディスク再生装置内に搬送した後、ターンテーブルによりディスクを回転して光ピックアップ等によりディスクに記録された情報を読み取る。
【０００３】
図３３〜図３５は従来のディスク再生装置の動作を示す側面図であり、図３６は図３４のＤ部拡大図である。図３３はトレイ２５が再生待機位置に配置され、ディスク８が再生位置に配置された状態を示している。ディスク８が載置されたトレイ２５は再生待機位置まで搬送される。再生待機位置はディスクが再生される再生位置の略軸上になっており、トレイ２５上のディスク８がターンテーブル３１の略軸方向の移動により保持されて再生位置に配置されている。
【０００４】
この時、同図に示すように、再生位置のディスク８は磁力による吸着によってターンテーブル３１及びディスク押え４０に挟持されている。ディスク押え４０は筐体上面部５に設けられた貫通孔５ａに遊嵌され、軸方向に移動可能になっているとともに傾斜可能になっている。
【０００５】
ターンテーブル３１及び光ピックアップ（不図示）を一体に保持する再生機構ユニット３０が回動すると、ターンテーブル３１は略軸方向に移動する。図３４、図３６に示すように、ディスク８はターンテーブル３１及びディスク押え４０とともに移動する。ディスク８が傾斜したトレイ２５の一端に接近すると、ディスク押え４０の上面に設けられた鍔部４０ａが筐体上面部５と当接する。
【０００６】
再生機構ユニット３０が更に回動すると、鍔部４０ａが筐体上面部５に当接し、ディスク押え４０の軸方向の移動が規制されてディスク押え４０とターンテーブル３１との吸着が破壊される。これにより、図３５に示すように、ディスク８からディスク押え４０が離間する。
【０００７】
そして、再生機構ユニット３０が更に回動してディスク８がトレイ２５上に載置され、ターンテーブル３１がトレイ２５から退避する。その後、トレイ２５を搬送してディスク８を着脱可能になっている。尚、ディスク押え４０の下面に設けられた鍔部４０ｂ（図３６参照）は筐体上部５により係止され、ディスク押え４０の脱落を防止するようになっている。
【０００８】
【発明が解決しようとする課題】
しかしながら、上記従来のディスク再生装置によると、図３４の状態から図３５の状態に移行する際にディスク押え４０がディスク８から離れる。そして、ターンテーブル３１に突設されたボス３１ｂと、ディスク８の中央に設けられた穴部（不図示）との係合によりディスク８はターンテーブル３１に保持される。このため、衝撃等によってディスク８がターンテーブル３１から脱落する可能性があった。
【０００９】
特に、近年、設置面積を小さくするために、ディスクの載置面を垂直に配置して縦置き可能なディスク再生装置が商品化されている。ターンテーブル３１のボス３１ｂは、若干の位置ずれが生じてもディスク８の穴部（不図示）に容易に侵入できるように円錐面から成っているため、垂直に配されたディスク８が脱落する危険性が大きい。
【００１０】
この問題を解決するために、ディスク押え４０の軸方向の移動ストロークを長くすることで、トレイ２５上にディスク８が載置されるまでディスク押え４０とターンテーブル３１とによりディスク８を挟持する方法が考えられる。しかしながらこの方法によると、再生位置にディスク８が配置されたときにディスク押え４０が筐体上面部５から大きく突出してディスク再生装置の占有スペースが大きくなる新たな問題が発生する。
【００１１】
本発明は、ディスクの脱落を防止できるとともに、占有スペースを縮小できるディスク再生装置を提供することを目的とする。
【００１２】
【課題を解決するための手段】
上記目的を達成するために本発明は、ディスクを載置する載置面を有してディスクを着脱可能な着脱位置とディスクを再生する再生位置の略軸上に該ディスクを配置する再生待機位置との間を移動するトレイと、再生待機位置の前記トレイ上のディスクを保持して軸方向に移動するとともに再生位置に配したディスクを回転させるターンテーブルと、前記再生位置のディスクを前記ターンテーブルと挟持するディスク押えと、ディスクの記録情報を読み取る再生部とを備え、再生位置で回転するディスクを前記再生部により再生するディスク再生装置において、前記ディスク押えは、筐体に形成した貫通孔に遊嵌して軸方向の移動量を規制する鍔部を有する第１部材と、第１部材に設けた貫通孔に遊嵌してディスクに当接する第２部材とを有し、前記ターンテーブル及び前記ディスク押えにより挟持したディスクを再生待機位置の前記トレイ上と再生位置との間で移動させることを特徴としている。
【００１３】
この構成によると、着脱位置でトレイの載置面にディスクが載置されると、トレイが再生待機位置に移動する。ディスクが再生待機位置に配されるとターンテーブルが回動または直進して略軸方向に移動し、ディスクがターンテーブルに保持される。同時にディスク押えの第１部材が第２部材とともに軸方向に移動し、例えば第１部材に設けた鍔部等によって第１部材が筐体に係止されると第２部材が軸方向に移動してディスクに当接する。この時、トレイが傾斜していても第１部材が傾斜して第２部材の表面全体がディスクに接触することができる。これにより、ディスクはターンテーブル及びディスク押えによって挟持され、ターンテーブルの移動により再生位置に導かれる。再生位置ではディスクがターンテーブルにより回転して再生部により記録情報が読み込まれて再生が行われる。
【００１４】
ディスク押えは、例えばディスク押えに設けられたマグネットとターンテーブルに設けられた磁性体との間の磁力によってターンテーブルに吸引され、容易に移動させることができる。また、付勢バネを設けることによってトレイ上に載置されたディスクからディスク押えを容易に退避させることができる。
【００１５】
この時、ディスク押えと筐体との間に付勢バネを縮設するのではなく、第１、第２部材間に該付勢バネを縮設することにより、ディスク押えと筐体との間に摩擦力を発生させずにターンテーブルを径方向に移動させることができる。これにより、例えば、垂直に配されたディスクを係止するディスク係止部を容易に回避させることができる。また、第１部材のディスクと離れた側の端面よりもディスク側に付勢バネを配置すると、第２部材の軸方向の長さを短くしても再生待機位置のトレイ上のディスクに到達できるようになる。
【００１６】
また本発明は、ディスクが載置面と当接することにより前記ターンテーブルとディスク押えとの吸着が破壊されることを特徴としている。この構成によると、再生位置のディスクはディスク押え及びターンテーブルに挟持されて軸方向に移動し、再生待機位置のトレイ上に当接する。更にターンテーブルが移動するとトレイによってディスクの移動が規制され、ディスク押えとターンテーブルとの間の吸着が破壊される。これにより、ディスク押えが付勢バネによりディスク上から退避してディスクが載置面に載置される。
【００１７】
また本発明は、ディスク再生装置を縦置きして載置面を鉛直に配置した際にディスクの下方を係止してディスクの脱落を防止する係止部が設けられる。また、ターンテーブルが軸方向に移動する際に径方向に移動してディスクが係止部から脱離するようになっている。
【００１８】
また本発明は、トレイを複数有し、各トレイ上のディスクを択一的に同一の再生位置に配置することを特徴としている。この構成によると、再生待機位置に配される各トレイとディスク押えとの距離が短くなり、上記各構成のディスク押えによりディスク押えが各トレイ上のディスクに到達することができる。
【００１９】
【発明の実施の形態】
以下に本発明の実施形態を図面を参照して説明する。説明の便宜上、前述の図３３〜図３６に示す従来例と同一の部分には同一の符号を付している。図１は一実施形態のディスク再生装置を示す斜視図である。また図２は、ディスク再生装置の内部構造を示す斜視図である。
【００２０】
これらの図に示すように、ディスク再生装置は筐体１を備えている。筐体１は筐体底部２、筐体右側部３、筐体左側部４及び筐体上面部５から成っており、内部に上部トレイ１０、下部トレイ２０、再生機構ユニット３０及びディスク押え４０等が装置されている。
【００２１】
図３は上部トレイ１０を示す分解斜視図である。上部トレイ１０は、上側ディスク載置トレイ１１、上側ディスク搬送トレイ１２、上側カバートレイ１３及びディスク脱落防止部材１４から成っている。上部トレイ１０は筐体右側面部３及び筐体左側面部４に係合して、奥行方向（図１の矢印Ａ方向）に摺動自在に取り付けられている。
【００２２】
上側カバートレイ１３は両側部が奥行方向に延びて形成され、右側面には後述するトレイ駆動ギヤ５６（図５参照）と噛合するラック１３ａが設けられている。左側部の上面にはガイド突起１３ｂ、１３ｃが形成されている。図１１の背面図に示すように、ガイド突起１３ｂ、１３ｃは互いに直交する方向に突出している。また、両側部の裏面にはガイド溝１３ｅ（図１１参照）が形成されている。
【００２３】
上側ディスク搬送トレイ１２は、左側部にガイド溝１２ｂ、１２ｃが形成されている。ガイド溝１２ｂ、１２ｃは夫々上側カバートレイ１３のガイド突起１３ｂ、１３ｃに係合する（図１１参照）。これにより、上側ディスク搬送トレイ１２が上側カバートレイ１３に対して摺動移動可能になっている。上側ディスク搬送トレイ１２の右側面には、後述するトレイ駆動ギヤ５６、５８（図５参照）と噛合するラック１２ａが設けられる。
【００２４】
上側ディスク搬送トレイ１２の略中央部には後方に開放された穴部１２ｅ、１２ｆが形成されている。穴部１２ｅ、１２ｆには後述するターンテーブル３１及び光ピックアップ３２（いずれも図５参照）が導入される。穴部１２ｅの外周部には、位置決め用穴１２ｇが形成されている。位置決め用穴１２ｇにより、後述する再生待機位置において再生機構ユニット３０の位置決めボス３５ａ（何れも図５参照）が嵌入して上側ディスク搬送トレイ１２が位置決めされるようになっている。
【００２５】
また、上側ディスク搬送トレイ１２の前部には、左右方向に伸びる回転軸を中心として回動自在にディスク脱落防止部材１４が取り付けられる。ディスク脱落防止部材１４は上側ディスク搬送トレイ１２が再生待機位置に移動する際に上側カバートレイ１３に突設された回動ガイド部１３ｆと係合して回動して下面から突出する。これにより、後述する収納位置に配された下部トレイ２０上のディスクの後方を支持してディスクの脱落を防止するようになっている。
【００２６】
上側ディスク載置トレイ１１は、前部の両側面に回動軸１１ａが突設されている。回動軸１１ａが上側ディスク搬送トレイ１２の前部に設けられた穴部１２ｄに嵌入して、上側ディスク搬送トレイ１２に対して上側ディスク載置トレイ１１が回動自在に取り付けられている。
【００２７】
上側ディスク載置トレイ１１には、径の異なる円形の凹部１１ｂ、１１ｃが形成され、径の異なる２種類のディスクを載置可能になっている。凹部１１ｂ、１１ｃの略中央部には後方に開放された穴部１１ｄ、１１ｅが形成されている。穴部１１ｄ、１１ｅには、上側ディスク搬送トレイ１２の穴部１２ｅ、１２ｆに導入されるターンテーブル３１及び光ピックアップ３２（いずれも図５参照）が同様に導入される。
【００２８】
穴部１１ｄの外周部には、位置決め用穴１１ｆが形成されている。位置決め用穴１１ｆにより、上側ディスク搬送トレイ１２の位置決め用穴１２ｇに嵌入された位置決めボス３５ａが同様に嵌入して上側ディスク載置トレイ１１が位置決めされるようになっている。
【００２９】
上側ディスク載置トレイ１１の後端部にはトレイ回動ガイド１１ｇが突設されている。後述するように、トレイ回動ガイド１１ｇは筐体右側部３及び筐体左側部４に設けられたガイド溝３ａ（不図示）、４ａ（図１０参照）に係合して上側ディスク載置トレイ１１を案内するようになっている。
【００３０】
図４は下部トレイ２０を示す分解斜視図である。下部トレイ２０は下側ディスク載置トレイ２１、下側ディスク搬送トレイ２２及び下側カバートレイ２３から成っている。下部トレイ２０は筐体右側面部３及び筐体左側面部４に係合して、奥行方向（図１の矢印Ａ方向）に摺動自在に取り付けられている。
【００３１】
下側カバートレイ２３は両側部が奥行方向に延びて形成され、左側面には後述するトレイ駆動ギヤ６０（図５参照）と噛合するラック２３ａが設けられている。右側部の上面には、互いに直交する方向に突出するガイド突起２３ｂ、２３ｃが形成されている（図１１参照）。また、両側部の裏面にはガイド溝２３ｅ（図１１参照）が形成されている。
【００３２】
下側ディスク搬送トレイ２２は平面形状がコ字型になっており、右側部にガイド溝２２ｂ、２２ｃが形成されている。ガイド溝２２ｂ、２２ｃは夫々下側カバートレイ２３のガイド突起２３ｂ、２３ｃに係合する（図１１参照）。これにより、下側ディスク搬送トレイ２２が下側カバートレイ２３に対して摺動移動可能になっている。下側ディスク搬送トレイ２２の左側面には、後述するトレイ駆動ギヤ６０、６２（図５参照）と噛合するラック２２ａが設けられる。
【００３３】
下側ディスク載置トレイ２１は、前部の両側面に回動軸２１ａが突設されている。回動軸２１ａが下側ディスク搬送トレイ２２の前部に設けられた穴部２２ｄに嵌入して、下側ディスク搬送トレイ２２に対して下側ディスク載置トレイ２１が回動自在に取り付けられている。
【００３４】
下側ディスク載置トレイ２１には、径の異なる円形の凹部２１ｂ、２１ｃが形成され、径の異なる２種類のディスクを載置可能になっている。凹部２１ｂ、２１ｃの略中央部には後方に延びる穴部２１ｄ、２１ｅが形成されている。穴部２１ｄ、２１ｅには、ターンテーブル３１及び光ピックアップ３２（いずれも図５参照）が導入される。
【００３５】
穴部２１ｄの外周部には、位置決め用穴２１ｆが形成されている。位置決め用穴２１ｆにより、後述する再生待機位置において再生機構ユニット３０の位置決めボス３５ａ（図５参照）が嵌入して下側ディスク載置トレイ２１が位置決めされるようになっている。
【００３６】
図１１に示すように、下側ディスク載置トレイ２１の裏面には両側部にガイド溝２１ｇが形成されている。ガイド溝２１ｇは図５に示す筐体底部２に形成されたトレイガイド２ｂと係合して下側ディスク載置トレイ２１を案内する。また、ガイド溝２１ｇに沿ってＬ字型のガイド部２１ｈが形成され、トレイガイド２ｂを保持するようになっている。
【００３７】
また、図１２に示すように、下側カバートレイ２３にはトレイガイド２ｂの延長上に同様の形状のガイド突起２３ｆが設けられている。ガイド突起２３ｆにはガイド溝２１ｇ及びガイド部２１ｈが係合して、トレイガイド２ｂから離脱した下側ディスク載置トレイ２１を案内できるようになっている。
【００３８】
図５、図６は筐体底部２に設けられた駆動機構部７０及び再生機構ユニット３０を示す斜視図及び上面図である。駆動機構部７０はモータ５０を有し、モータ５０の軸にはピニオンギヤ４９が取り付けられている。ピニオンギヤ４９には２段ギヤから成る中間ギヤ５１の大径側が噛合する。
【００３９】
中間ギヤ５１の小径側には２段ギヤから成る中間ギヤ５２の大径側が噛合する。中間ギヤ５２の小径側には中間ギヤ５３が噛合する。中間ギヤ５３にはカムギヤ５４の内面に形成されたギヤ部５４ａが噛合する。これにより、モータ５０の回転が減速してカムギヤ５４に伝達されるようになっている。
【００４０】
図７、図８はカムギヤ５４を示す平面図及び正面図である。カムギヤ５４の周面には夫々周面の一部に配される複数のギヤ部５４ｂ〜５４ｇが４段に設けられている。尚、ギヤ部５４ｃ、５４ｅが同じ段に形成され、ギヤ部５４ｂ、５４ｄが同じ段に形成されている。
【００４１】
カムギヤ５４の周囲には２段ギヤから成る中間ギヤ５５、５７、５９、６１が配される。中間ギヤ５５、５７、５９、６１の小径側にはギヤ部５４ｂ、５４ｃ、５４ｄ、５４ｅが夫々噛合する。中間ギヤ５５、５７、５９、６１の大径側にはトレイ駆動ギヤ５６、５８、６０、６２が夫々噛合する。
【００４２】
トレイ駆動ギヤ５６は上部トレイ１０の上側カバートレイ１３及び上側ディスク搬送トレイ１２に設けられたラック１３ａ、１２ａと噛合して上部トレイ１０を奥行方向へ駆動する。トレイ駆動ギヤ５８はラック１２ａと噛合して上側ディスク搬送トレイ１２を更に奥行方向へ駆動する。
【００４３】
トレイ駆動ギヤ６０は下部トレイ２０の下側カバートレイ２３及び下側ディスク搬送トレイ２２に設けられたラック２３ａ、２２ａと噛合して下部トレイ２０を奥行方向へ駆動する。トレイ駆動ギヤ６２はラック２２ａと噛合して下側ディスク搬送トレイ２２を更に奥行方向へ駆動する。
【００４４】
また、カムギヤ５４のギヤ部５４ｇは中間ギヤ３７に噛合する。カムギヤ５４のギヤ部５４ｆは中間ギヤ３８を介して中間ギヤ３７と噛合する。図９に示すように、中間ギヤ３７は駆動機構部７０と再生機構ユニット３０との間に設けられた昇降用ラック部材３６のラック３６ａに噛合する。これにより、昇降用ラック部材３６は筐体底部２に設けられたガイド溝２ａに案内されて左右方向（矢印Ｂ方向）に移動する。
【００４５】
昇降用ラック部材３６は断面Ｌ字型を成し、鉛直面には傾斜したガイド溝（カム溝）３６ｂが形成されている。再生機構ユニット３０を覆う再生ユニットホルダー３５にはガイド溝３６ｂに係合する突起部３５ｂが設けられている。再生ユニットホルダー３５の後端には支軸３５ｃが突設されている。支軸３５ｃは筐体底部２に設けられた軸穴２ｃに嵌合して再生機構ユニット３０を枢支する。従って、昇降用ラック部材３６が左右方向（矢印Ｂ方向）に移動することによって再生機構ユニット３０が回動して昇降するようになっている。
【００４６】
再生ユニットホルダー３５の上面には、回動時に上側ディスク搬送トレイ１２、上側ディスク載置トレイ１１及び下側ディスク載置トレイ２１を位置決めする位置決めボス３５ａが突設されている。再生ユニットホルダー３５の前部の両側面には係合子３５ｄが突設されている。係合子３５ｄは筐体底部２に形成されたカム面２ｄに摺動して再生機構ユニット３０を回動しながら左右方向に移動させるようになっている。
【００４７】
再生機構ユニット３０には回転駆動されるターンテーブル３１が設けられている。また、ターンテーブル３１の近傍にはターンテーブル３１に保持されたディスクの記録情報を読み取る光ピックアップ３２が配置されている。ターンテーブル３１はディスク押え４０（図１参照）との間でディスクを挟持してディスクを回転駆動する。
【００４８】
図２５、図２６はターンテーブル３１及びディスク押え４０の詳細を示す側面断面図及び上面図である。ターンテーブル３１はディスク８の中央に形成された穴部（不図示）に嵌合するボス３１ｂが突設されている。ボス３１ｂは径方向の位置ずれがあっても該穴部に容易に侵入できるように円錐面を有している。ボス３１ｂには磁性体３１ａが埋設されている。
【００４９】
ディスク押え４０は筐体上面部５に形成された貫通孔５ａに遊嵌される第１部材４２と、第１部材４２に形成された貫通孔４２ｃに遊嵌される第２部材４４とを有している。これにより、第１部材４２は筐体上面部５に対して軸方向及び径方向に移動可能になっているとともに傾斜可能になっている。また、第２部材４２は第１部材４２に対して軸方向に移動可能になっているとともに傾斜可能になっている。
【００５０】
第１部材４２の両端面にはそれぞれ径方向の３方に突出する鍔部４２ａ、４２ｂが形成されている。鍔部４２ａ、４２ｂが筐体上面部５に当接することにより、第１部材４２の軸方向の移動量が規制されるようになっている。また、貫通孔４２ｃのディスク８から離れた側には座グリ４２ｄが形成されている。
【００５１】
第２部材４４は貫通孔４２ｃよりも径方向に突出する鍔部４４ｅが下面に形成され、中央部にターンテーブル３１のボス３１ｂに嵌合するボス孔４４ｃが形成されている。ボス孔４４ｃの上方には凹部４４ｄが形成され、凹部４４ｄ内には磁性体から成るヨーク４６が取り付けられたマグネット４５が配されている。ターンテーブル３１のボス３１ｂにボス孔４４ｃが嵌合してマグネット４５と磁性体３１ａの間の磁力によりターンテーブル３１とディスク押え４０とが吸着される。
【００５２】
第２部材４４はネジ４７により取り付けられる上部カバー４１を上面に有している。上部カバー４１は第２部材４４の胴部４４ｂよりも径方向に突出している。上部カバー４１の突出した部分と第１部材４２の座グリ４２ｄの座部との間には圧縮バネ（付勢バネ）４３が縮設されている。これにより、第２部材４４が第１部材４２に対して図中、上方に付勢され、鍔部４４ｅにより係止されている。
【００５３】
図１０は筐体左側面部４を示す側面図である。筐体左側面部４には、平行な３つのガイド溝４ｂが形成され、ガイド溝４ｂに対して一部が分岐して傾斜するガイド溝４ａが形成される。ガイド溝４ｂにはガイド突起４ｃが形成されている。ガイド溝４ｂには、下方から下側カバートレイ２３、下側ディスク搬送トレイ２２、上側カバートレイ１３が係合し、ガイド突起４ｃが夫々に設けられたガイド溝２３ｅ、２２ｃ、１３ｅに係合する（図１１参照）。
【００５４】
また、ガイド溝４ａには、上側ディスク搬送トレイ１２及び上側ディスク載置トレイ１１が係合し、分岐部分には上側ディスク載置トレイ１１がトレイ回動ガイド１１ｇ（図３参照）により案内される。また、筐体右側面部３（図１参照）にも同様のガイド溝が形成されている。これにより、上部トレイ１０及び下部トレイ２０が奥行方向に案内されるようになっている。
【００５５】
上記構成のディスク再生装置において、図１３〜図２４及び図２７〜図３０を参照して動作を説明する。尚、図３０は図２８のＥ部拡大図である。図１３は上部トレイ１０が着脱位置Ｔ１に配され、下部トレイ２０が再生待機位置Ｔ６に配された状態を示している。
【００５６】
また、再生機構ユニット３０は再生位置Ｐ１に配置されており、これにより下部トレイ２０上のディスク８が再生位置に設置されている。この状態のディスク再生装置の斜視図を図３１に示す。また、図１９に示すように、筐体左側面部４のガイド溝４ｂ内には下側トレイカバー２３及び下側ディスク搬送トレイ２２が収納される。
【００５７】
図１３及び図２７に示すように、下部トレイ２０の下側ディスク載置トレイ２１はトレイガイド２ｂ（図５参照）の案内により後端が持ち上げられて傾斜している。再生待機位置Ｔ６に配される下側ディスク載置トレイ２１上のディスク８は、ターンテーブル３１により略軸方向に持ち上げられて再生位置に配されている。この時、ディスク押え４０の第２部材４４はターンテーブル３１に吸着してディスク８を保持し、鍔部４４ｅが第１部材４２の鍔部４２ｂに係止されている。
【００５８】
カムギヤ５４が所定位置に配されて図７のＣ１方向に回転すると、ギヤ部５４ｂ、５４ｅが中間ギヤ５５、５７と噛合してトレイ駆動ギヤ５６、５８が回転し、上部トレイ１０が後退する。この時、図２０に示すように上側ディスク載置トレイ１１のトレイ回動ガイド１１ｇがガイド溝４ａに案内される。
【００５９】
更にトレイ駆動ギヤ５６、５８が回転すると、図１４、図２１に示すように上部トレイ１０が収納位置Ｔ２に配される。この時、上側ディスク載置トレイ１１はガイド溝４ａの案内により傾斜して配され、収納位置Ｔ２の上方のディスク８と再生位置の下方のディスク８とが軸方向に重なって配置される。これにより、ディスク再生装置の奥行方向の寸法を小さくしている。
【００６０】
また、カムギヤ５４のギヤ部５４ｆが中間ギヤ３８に噛合し、中間ギヤ３７を介して昇降用ラック部材３６が右方に移動する。これにより、再生機構ユニット３０が回動しながらターンテーブル３１はディスク８及びディスク押え４０とともに略軸方向に移動する。
【００６１】
図２８、図３０に示すように、ディスク押え４０の第１部材４２の鍔部４２ａが筐体上面部５に当接すると、ターンテーブル３１は圧縮バネ４３の付勢力に抗して第２部材４４とともに移動する。これにより、ディスク８が下部ディスク載置トレイ２１に接触する位置に配される。
【００６２】
更にカムギヤ５４が回転すると、昇降用ラック部材３６のガイド溝３６ｂの案内によって図１５、図２９に示すように再生機構ユニット３０が下降して非再生位置Ｐ２に配される。この時、ディスク８が下部ディスク載置トレイ２１により移動を規制され、ターンテーブル３１とディスク押え４０との吸着が破壊される。
【００６３】
下部ディスク載置トレイ２１とディスク８との当接により吸着破壊させることでディスク８を確実に下部ディスク載置トレイ２１上に載置することができる。そして、第２部材４４は圧縮バネ４３の付勢力により上方に移動してディスク８上から退避する。
【００６４】
カムギヤ５４が所定位置に配されて図７のＣ１方向に回転すると、ギヤ部５４ｄが中間ギヤ６１と噛合してトレイ駆動ギヤ６２が回転し、下部トレイ２０の下側搬送トレイ２２が前進する。これにより、図２１に示すように、下部トレイ２０が収納位置Ｔ５（図１７参照）に配される。
【００６５】
カムギヤ５４が更にＣ１方向に回転すると、ギヤ部５４ｃが中間ギヤ５７と噛合してトレイ駆動ギヤ５８が回転し、図２２に示すように上側搬送トレイ１２が後退し始める。更にカムギヤ５４が回転すると、図１６、図２３に示すように、上側搬送トレイ１２が再生待機位置Ｔ３に配される。
【００６６】
そして、カムギヤ５４のギヤ部５４ｇが中間ギヤ３７と噛合し、昇降用ラック部材３６が左方に移動する。これにより、図１７に示すように昇降用ラック部材３６のガイド溝３６ｂの案内によって再生機構ユニット３０が上昇して再生位置Ｐ１に配される。
【００６７】
この時、前述の図２７〜図３０と同様に、ターンテーブル３１がディスク８に接近するとディスク押え４０の第２部材４４が圧縮バネ４３の付勢力に抗して磁力により吸引されて下降する。そして、上部トレイ１０上のディスク８はターンテーブル３１とディスク押え４０に挟持されて略軸方向に移動して再生位置に配される。
【００６８】
また、上側ディスク載置トレイ１１の凹部１１ｂ（図３参照）の周縁には、上側ディスク載置トレイ１１のディスク載置面から軸方向に離れて径方向に突出するディスク係止部１１ｊ（図３参照）が形成されている。ディスク再生装置が図３２に示すように、筐体右側面部３側を底面にして縦置きされる場合には、ディスク８は自重によりディスク係止部１１ｊに係止され、鉛直に配されるディスク８の脱落を防止する。
【００６９】
ターンテーブル３１が移動する際に再生機構ユニット３０の係合子３５ｄ（図５参照）はカム面２ｄ（図５参照）に沿って摺動して再生機構ユニット３０を左方に移動させる。これにより、ディスク８はディスク係止部１１ｊから離脱して軸方向に移動できるようになっている。尚、下側ディスク載置トレイ２１にも同様のディスク係止部２１ｊ（図４参照）が形成され、再生機構ユニット３０は同様に動作する。
【００７０】
図１７、図２３に示す状態から、カムギヤ５４が所定位置に配されて図７のＣ１方向に回転すると、ギヤ部５４ｂ、５４ｅが中間ギヤ５９、６１と噛合してトレイ駆動ギヤ６０、６２が回転し、下部トレイ２０が前進する。これにより、図１８、図２４に示すように下部トレイ２０が着脱位置Ｔ４に配される。
【００７１】
尚、カムギヤ５４がＣ２方向（図７参照）に回転することによって上記と逆の動作が行われる。
【００７２】
本実施形態によると、ディスク押え４０は、筐体上面部５に形成した貫通孔５ａに遊嵌される第１部材４２と、第１部材４２に設けた貫通孔４２ｃに遊嵌してディスク８に当接する第２部材４４とを有して、再生待機位置の上側ディスク載置トレイ１１または下側ディスク載置トレイ２１上のディスク８を再生位置までターンテーブル３１と挟持するので、この間のディスク８の脱落を防止することができる。また、軸方向に移動可能な第１部材４２の貫通孔４２ｃ内を第２部材４４が移動するので筐体上面部５から突出するディスク押え４０の突出量を減少させることができ、ディスク再生装置の占有スペースを削減することができる。
【００７３】
また、ターンテーブル３１とディスク押え４０との磁力による吸着の破壊時にディスク押え４０を退避させる圧縮バネ４３が第１、第２部材４２、４４間に縮設される。圧縮バネ４３をディスク押え４０と筐体上面部５の間に縮設した場合はディスク押え４０が径方向に移動すると摩擦力を生じるが、第１、第２部材４２、４４間に縮設されるので摩擦力を生じずにディスク押え４０が径方向に移動可能になる。
【００７４】
このため、ディスク再生装置の縦置き時にディスクを係止するディスク係止部１１ｊ、２１ｊを回避するようにターンテーブル３１が径方向に移動しても、貫通孔５ａに遊嵌されるディスク押え４０は容易に追随して径方向に移動する。従って、再生機構ユニット３０の安定した動作を得ることができるとともに、ディスク押え４０がディスク８に対して摺動することによるディスク８の損傷を防止することができる。
【００７５】
更に、第１部材４２の上面よりも下方に配された座グリ４２ｄの座部で圧縮バネ４３の下端を支持するので、第２部材４４をディスクに近い位置まで移動させることができる。即ち、図３０に示すように本実施形態では、圧縮バネ４３が下方に配されるので、第２部材４４の上面が第１部材４２の上面に略一致する位置まで第２部材４４を下降させることができる。これにより、ディスク押え４０の筐体上面部５からの突出量を更に減少させることができる。
【００７６】
また、上部トレイ１０上のディスクと下部トレイ２０上のディスクとが同じ再生位置で再生されるので、下側搬送トレイ２２の再生待機位置Ｔ６は上側搬送トレイ１２の再生待機位置Ｔ３と略同じ高さに配置される（図１５参照）。これにより、ディスク押え４０のストロークを短くして再生位置にディスク８が配されたときに筐体上面部５からの突出量を更に小さくすることができる。
【００７７】
【発明の効果】
本発明によると、ディスク押えは、筐体に形成した貫通孔に遊嵌される第１部材と、第１部材に設けた貫通孔に遊嵌してディスクに当接する第２部材とを有して、再生待機位置のトレイ上のディスクを再生位置までターンテーブルと挟持するので、この間のディスクの脱落を防止することができる。また、軸方向に移動可能な第１部材の貫通孔内を第２部材が移動するので筐体から突出するディスク押えの突出量を減少させることができ、ディスク再生装置の占有スペースを削減することができる。
【００７８】
また本発明によると、ターンテーブルとディスク押えとの磁力による吸着の破壊時にディスク押えを退避させる付勢バネが第１、第２部材間に縮設される。このため、摩擦力を生じずにディスク押えが径方向に移動可能になり、ディスク再生装置の縦置き時にディスクを係止するディスク係止部を回避するようにターンテーブルが径方向に移動しても、ディスク押えは容易に追随して径方向に移動する。従って、ターンテーブルの安定した動作を得ることができるとともに、ディスク押えがディスクに対して摺動することによるディスクの損傷を防止することができる。
【００７９】
また本発明によると、第１部材のディスクと離れた側の端面よりもディスク側に付勢バネを配置したので、第２部材をディスクに近い位置まで移動させることができる。これにより、筐体から突出するディスク押えの突出量を更に減少させることができる。
【００８０】
また本発明によると、複数のトレイ上のディスクが同じ再生位置で再生されるので、ディスク押えの軸方向のストロークを短くして再生位置にディスクが配されたときに筐体から突出するディスク押えの突出量を更に小さくすることができる。
【図面の簡単な説明】
【図１】は、本発明の実施形態のディスク再生装置を示す斜視図である。
【図２】は、本発明の実施形態のディスク再生装置の内部構造を示す斜視図である。
【図３】は、本発明の実施形態のディスク再生装置の上部トレイを示す分解斜視図である。
【図４】は、本発明の実施形態のディスク再生装置の下部トレイを示す分解斜視図である。
【図５】は、本発明の実施形態のディスク再生装置の筐体底部に設けられた駆動機構及び再生機構ユニットを示す斜視図である。
【図６】は、本発明の実施形態のディスク再生装置の筐体底部に設けられた駆動機構及び再生機構ユニットを示す上面図である。
【図７】は、本発明の実施形態のディスク再生装置のカムギヤを示す上面図である。
【図８】は、本発明の実施形態のディスク再生装置のカムギヤを示す正面図である。
【図９】は、本発明の実施形態のディスク再生装置の筐体底部に設けられた昇降用ラック部材及び再生機構ユニットを示す分解斜視図である。
【図１０】は、本発明の実施形態のディスク再生装置の筐体左側面部を示す正面図である。
【図１１】は、本発明の実施形態のディスク再生装置を示す背面図である。
【図１２】は、本発明の実施形態のディスク再生装置の下部トレイを示す背面図である。
【図１３】は、本発明の実施形態のディスク再生装置の動作を示す概略側面図である。
【図１４】は、本発明の実施形態のディスク再生装置の動作を示す概略側面図である。
【図１５】は、本発明の実施形態のディスク再生装置の動作を示す概略側面図である。
【図１６】は、本発明の実施形態のディスク再生装置の動作を示す概略側面図である。
【図１７】は、本発明の実施形態のディスク再生装置の動作を示す概略側面図である。
【図１８】は、本発明の実施形態のディスク再生装置の動作を示す概略側面図である。
【図１９】は、本発明の実施形態のディスク再生装置の上部トレイ及び下部トレイの動作を示す概略側面図である。
【図２０】は、本発明の実施形態のディスク再生装置の上部トレイ及び下部トレイの動作を示す概略側面図である。
【図２１】は、本発明の実施形態のディスク再生装置の上部トレイ及び下部トレイの動作を示す概略側面図である。
【図２２】は、本発明の実施形態のディスク再生装置の上部トレイ及び下部トレイの動作を示す概略側面図である。
【図２３】は、本発明の実施形態のディスク再生装置の上部トレイ及び下部トレイの動作を示す概略側面図である。
【図２４】は、本発明の実施形態のディスク再生装置の上部トレイ及び下部トレイの動作を示す側面図である。
【図２５】は、本発明の実施形態のディスク再生装置の再生機構ユニットの動作を示す側面図である。
【図２６】は、本発明の実施形態のディスク再生装置の再生機構ユニットの動作を示す上面図である。
【図２７】は、本発明の実施形態のディスク再生装置のディスク押え及びターンテーブルの動作を示す側面図である。
【図２８】は、本発明の実施形態のディスク再生装置のディスク押え及びターンテーブルの動作を示す側面図である。
【図２９】は、本発明の実施形態のディスク再生装置のディスク押え及びターンテーブルの動作を示す側面図である。
【図３０】は、図２８のＥ部拡大図である。
【図３１】は、本発明の実施形態のディスク再生装置の横置き使用状態を示す斜視図である。
【図３２】は、本発明の実施形態のディスク再生装置の縦置き使用状態を示す斜視図である。
【図３３】は、従来のディスク再生装置のディスク押え及びターンテーブルの動作を示す側面図である。
【図３４】は、従来のディスク再生装置のディスク押え及びターンテーブルの動作を示す側面図である。
【図３５】は、従来のディスク再生装置のディスク押え及びターンテーブルの動作を示す側面図である。
【図３６】は、図３４のＤ部拡大図である。
【符号の説明】
１　　筐体
２　　筐体底部
２ｄ　カム面
３　　筐体右側面部
４　　筐体左側面部
５　　筐体上面部
８　　ディスク
１０　　上部トレイ
１１　　上側ディスク載置トレイ
１２　　上側ディスク搬送トレイ
１３　　上側カバートレイ
２０　　下部トレイ
２１　　下側ディスク載置トレイ
２２　　下側ディスク搬送トレイ
２３　　下側カバートレイ
３０　　再生機構ユニット
３１　　ターンテーブル
３２　　光ピックアップ
３５ｂ　突起部
３５ｄ　係合子
３６　　昇降用ラック部材
３６ｂ　ガイド溝
３７、３８、５１、５２、５３、５５、５７、５９、６１　中間ギヤ
４０　　ディスク押え
４１　　上部カバー
４２　　第１部材
４３　　圧縮バネ
４４　　第２部材
４５　　マグネット
５０　　モータ
５４　　カムギヤ
５６、５８、６０、６２　トレイ駆動ギヤ
【図１】
2004087004.tif 000003
【図２】
2004087004.tif 000004
【図３】
2004087004.tif 000005
【図４】
2004087004.tif 000006
【図５】
2004087004.tif 000007
【図６】
2004087004.tif 000008
【図７】
2004087004.tif 000009
【図８】
2004087004.tif 000010
【図９】
2004087004.tif 000011
【図１０】
2004087004.tif 000012
【図１１】
2004087004.tif 000013
【図１２】
2004087004.tif 000014
【図１３】
2004087004.tif 000015
【図１４】
2004087004.tif 000016
【図１５】
2004087004.tif 000017
【図１６】
2004087004.tif 000018
【図１７】
2004087004.tif 000019
【図１８】
2004087004.tif 000020
【図１９】
2004087004.tif 000021
【図２０】
2004087004.tif 000022
【図２１】
2004087004.tif 000023
【図２２】
2004087004.tif 000024
【図２３】
2004087004.tif 000025
【図２４】
2004087004.tif 000026
【図２５】
2004087004.tif 000027
【図２６】
2004087004.tif 000028
【図２７】
2004087004.tif 000029
【図２８】
2004087004.tif 000030
【図２９】
2004087004.tif 000031
【図３０】
2004087004.tif 000032
【図３１】
2004087004.tif 000033
【図３２】
2004087004.tif 000034
【図３３】
2004087004.tif 000035
【図３４】
2004087004.tif 000036
【図３５】
2004087004.tif 000037
【図３６】
2004087004.tif 000038